(57)【要約】      （修正有）【課題】波板の固定強度が高く、台風などの天然災害の場合にも、雨水が工場に侵入せず、強風があっても、波板が吹き飛ばれることはない波板用支持枠締結構造を提供する。【解決手段】ストリップ状を呈し互いに当接して管状に形成する複数の係止部材１０を含み、係止部材の一端は、肉厚が徐々に薄くなり、係り部１１を有し、各係止部材の肉厚が徐々に薄くなる部分の外面に環状溝１２が設けられ、環状溝に弾性部材２０が配される円筒状構造と、外径が多辺形を呈し、一端が徐々に縮径し、外径のより小さい一端が規制スリーブ３０に向き、円筒状構造の軸方向一端に差込み、各係り部１１の中央に位置する拡張ナット４０と、規制スリーブの穿孔３１と、係止部材を互いに当接して形成される円筒の軸方向中央とを挿通し、座金５１が配され、拡張ナットに螺着される緊迫ボルト５０と、を含む。【選択図】図２
0003205310.tif 000002
【実用新案登録請求の範囲】
【請求項１】
ストリップ状を呈し互いに当接して管状に形成する複数の係止部材を含み、前記係止部材の一端は、肉厚が徐々に薄くなり、係り部を有し、前記各係止部材の肉厚が徐々に薄くなる部分の外面に環状溝が設けられており、前記環状溝に弾性部材が配されており、前記係止部材の他端の外面に溝が設けられており、前記溝の両端が互いに連接して規制環状溝を形成し、前記規制環状溝は、規制スリーブの開口の周縁と係合し、前記規制スリーブの軸方向に穿孔が設けられている円筒状構造と、
その外径が多辺形を呈し、その一端が徐々に縮径し、その外径のより小さい一端が前記規制スリーブに向き、前記円筒状構造の軸方向の一端に差込み、前記各係り部の中央に位置する拡張ナットと、
前記規制スリーブの前記穿孔と、これらの前記係止部材を互いに当接して形成される円筒の軸方向の中央とを挿通し、座金が配されており、前記座金と前記規制スリーブとの間に密封部材が設けられており、前記拡張ナットに螺着されている緊迫ボルトと、
を含むことを特徴とする波板用支持枠締結構造。
【請求項２】
前記密封部材は、熱硬化性ワシャであり、前記緊迫ボルトとの間にブッシュが嵌め設けられており、前記ブッシュは、底端が前記規制スリーブに当接し、上端が前記座金に当接することを特徴とする、請求項１に記載の波板用支持枠締結構造。
【請求項３】
前記緊迫ボルトは、前記円筒状構造を挿通して前記拡張ナットに螺入して、支持部材、波板及びスチール構造体の順に、これらを挿通し、前記波板は、底面が前記スチール構造体に固定されており、上面が前記支持部材の底部に固定されていることを特徴とする、請求項１に記載の波板用支持枠締結構造。
【考案の詳細な説明】
【技術分野】
【０００１】
本考案は、波板用固定構造に関し、特に、密封部材の締結による圧迫により、防水効果を得ることが可能であり、複数の係り部による拡張及び支持効果により、支持部材と波板との固定強度を大幅に増加可能であり、大雨や台風があっても、波板全体が極めて安定的となる波板用支持枠締結構造に関するものである。
【背景技術】
【０００２】
従来の波板は、工場などの屋上をカバーするためのものである。波板により、工場などの断熱及び雨に降られないなどの効果を得ることが可能である。そして波板は、技術が成熟であり、価格が低いため、広汎に利用されている。しかし、従来の波板と波板とのラップ箇所が一般的な螺子によって締結し、螺子の螺旋が波板の肉厚だけと噛合うため、固定の強度は低い。これにより、台風などの天然災害の場合には、雨水が工場などに侵入して屋内の財物を湿り、更に、強風により波板が吹き飛ばれる可能性があるため、屋内の財物を良く保護することができない。そして吹き飛ばれる波板は、他人の生命及び財物を脅威する虞がある。
【考案の概要】
【考案が解決しようとする課題】
【０００３】
本考案の主な目的は、従来の波板と波板とのラップ箇所が一般的な螺子によって締結し、螺子の螺旋が波板の肉厚だけと噛合うため、固定の強度は低く、台風などの天然災害の場合には、雨水が工場などに侵入して屋内の財物を湿り、更に、強風によって吹き飛ばれる波板は、他人の生命及び財物を脅威する虞があるという問題を解決可能な波板用支持枠締結構造を提供することにある。
【課題を解決するための手段】
【０００４】
本考案の波板用支持枠締結構造によると、ストリップ状を呈し互いに当接して管状に形成する複数の係止部材を含み、係止部材の一端は、肉厚が徐々に薄くなり、係り部を有し、各係止部材の肉厚が徐々に薄くなる部分の外面に環状溝が設けられており、環状溝に弾性部材が配されており、係止部材の他端の外面に溝が設けられており、溝の両端が互いに連接して規制環状溝を形成し、規制環状溝は、規制スリーブの開口の周縁と係合し、規制スリーブの軸方向に穿孔が設けられている円筒状構造と、
その外径が多辺形を呈し、その一端が徐々に縮径し、その外径のより小さい一端が規制スリーブに向き、円筒状構造の軸方向の一端に差込み、各係り部の中央に位置する拡張ナットと、
規制スリーブの穿孔と、これらの係止部材を互いに当接して形成される円筒の軸方向の中央とを挿通し、座金が配されており、座金と規制スリーブとの間に密封部材が設けられており、拡張ナットに螺着されている緊迫ボルトと、
を含むことを特徴とする。
【０００５】
本考案の波板用支持枠締結構造によると、密封部材は、熱硬化性ワシャであり、緊迫ボルトとの間にブッシュが嵌め設けられており、ブッシュは、底端が規制スリーブに当接し、上端が座金に当接することを特徴とする。
【０００６】
本考案の波板用支持枠締結構造によると、緊迫ボルトは、円筒状構造を挿通して拡張ナットに螺入して、支持部材、波板及びスチール構造体の順に、これらを挿通し、波板は、底面がスチール構造体に固定されており、上面が支持部材の底部に固定されていることを特徴とする。
【考案の効果】
【０００７】
本考案の波板用支持枠締結構造によれば、支持部材、波板及びスチール構造体に、各係止部材を挿通して、緊迫ボルトを、各係止部材を互いに当接して管状に形成する円筒に挿通して、拡張ナットに螺入して、緊迫ボルトを回転すると、緊迫ボルトが、各環状溝に近接し、各係り部の内側に押付けて、各係り部が外側へ旋回してスチール構造体の内側の面に押付け、これにより、密封部材の締結による圧迫により、防水効果を得ることが可能であり、複数の係り部による拡張及び支持効果により、支持部材と波板との固定強度を大幅に増加可能であり、大雨や台風があっても、波板全体が極めて安定的となるという効果を有する。
【図面の簡単な説明】
【０００８】
【図１】本考案の第１の実施形態に係る波板用支持枠締結構造を示す斜視図である。
【図２】本考案の第１の実施形態に係る波板用支持枠締結構造を示す分解斜視図である。
【図３】本考案の第１の実施形態に係る波板用支持枠締結構造を示す分解断面図である。
【図４】本考案の第１の実施形態に係る波板用支持枠締結構造を回転して拡張する状態を示す断面図である。
【図５】本考案の第２の実施形態に係る波板用支持枠締結構造を示す断面図である。
【図６】本考案の第２の実施形態に係る波板用支持枠締結構造の使用状態を示す断面図である。
【考案を実施するための最良の形態】
【０００９】
以下、本考案の実施の形態を図面に基づいて説明する。
【００１０】
（第１の実施形態）
図１から図６を参照する。本実施形態に係る波板用支持枠締結構造は、円筒状構造１１０と、拡張ナット４０と、緊迫ボルト５０と、を含む。
【００１１】
円筒状構造１１０は、ストリップ状を呈し互いに当接して管状に形成する複数の係止部材１０を含む。係止部材１０の一端は、肉厚が徐々に薄くなり、係り部１１を有する。各係止部材１０の肉厚が徐々に薄くなる部分の外面に環状溝１２が設けられている。環状溝１２に弾性部材２０が配されている。係止部材１０の他端の外面に溝１３が設けられている。溝１３の両端が互いに連接して規制環状溝１３０を形成する。規制環状溝１３０は、規制スリーブ３０の開口の周縁と係合する。規制スリーブ３０の軸方向に穿孔３１が設けられている。
【００１２】
拡張ナット４０は、その外径が多辺形を呈し、その一端が徐々に縮径し、その外径のより小さい一端が規制スリーブ３０に向く。拡張ナット４０は、円筒状構造１１０の軸方向の一端に差込み、各係り部１１の中央に位置する。
【００１３】
緊迫ボルト５０は、規制スリーブ３０の穿孔３１と、これらの係止部材１０を互いに当接して形成される円筒の軸方向の中央とを挿通し、座金５１が配されている。座金５１は、緊迫ボルト５０の一端に位置するヘッド部と規制スリーブ３０との間に配される。緊迫ボルト５０と規制スリーブ３０との間に密封部材６０が設けられている。緊迫ボルト５０は、拡張ナット４０に螺着されている。
【００１４】
密封部材６０は、熱硬化性ワシャであり、緊迫ボルト５０との間にブッシュ７０が嵌め設けられている。ブッシュ７０は、底端が規制スリーブ３０に当接し、上端が座金５１に当接する。
【００１５】
緊迫ボルト５０は、円筒状構造１１０を挿通して拡張ナット４０に螺入して、支持部材８０、波板９０及びスチール構造体１００の順に、これらを挿通する。波板９０は、底面がスチール構造体１００に固定されており、上面が支持部材８０の底部に固定されている。
【００１６】
次に、本実施形態の使用状態を説明する。まず、固定しようとする位置を決めて、支持部材８０、波板９０及びスチール構造体１００を貫通して、これらに円筒状構造１１０を差し込む。波板９０と支持部材８０との間に密封部材６０を配する。緊迫ボルト５０に座金５１を嵌めたと、緊迫ボルト５０を円筒状構造１１０に差し込んで、拡張ナット４０に螺入する。これにより、緊迫ボルト５０を回転すると、拡張ナット４０が環状溝１２に近接すると同時に、拡張ナット４０が各係り部１１の裏面に押付けて、各係止部材１０の外面に設けられている環状溝１２が外側へ曲がる。このとき、弾性より、弾性部材２０が拡張する。各係り部１１は、拡張したと、スチール構造体１００に押付ける。これにより、支持部材８０に、クーリングタワー、給水塔、ソーラーパネル、又は衛星アンテナなどを固定可能である。
【００１７】
（第２の実施形態）
一方、本実施形態に係る波板用支持枠締結構造は、係り部１１と座金５１との間にブッシュ７０が配されており、より厚い構造を固定することが可能である。ブッシュ７０は密封部材６０を挿通する。本実施形態に係る波板用支持枠締結構造によれば、構造体の適用可能の厚さを増加可能である。
【００１８】
特に、支持部材８０と波板９０との間に密封部材６０が配されているため、支持部材８０と波板９０とを締付けると、密封部材６０が圧迫されて、防水効果を得ることが可能である。そして拡張された係り部１１がスチール構造体１００の裏面に押付けるため、支持部材８０と波板９０との結合強度を大幅に増加可能である。これにより、大雨や台風があっても、波板全体が極めて安定的となり、建築物の内部にある財物や人員を保護可能となる。
【産業上の利用可能性】
【００１９】
本考案は、波板に適用することができる。
【符号の説明】
【００２０】
１０  係止部材
１１  係り部
１２  環状溝
１３  溝
２０  弾性部材
３０  規制スリーブ
３１  穿孔
４０  拡張ナット
５０  緊迫ボルト
５１  座金
６０  密封部材
７０  ブッシュ
８０  支持部材
９０  波板
１００  スチール構造体
１１０  円筒状構造
１３０  規制環状溝
【図１】
0003205310.tif 000003
【図２】
0003205310.tif 000004
【図３】
0003205310.tif 000005
【図４】
0003205310.tif 000006
【図５】
0003205310.tif 000007
【図６】
0003205310.tif 000008